(57)【要約】【課題】複数のファンをオンオフすることに頼らずに、現像器の冷却又は現像剤による汚れの抑制を選択的に実現する。【解決手段】仕切り部材に設けられた複数の開口部であって、気流の進行方向下流側において３以上の現像器のそれぞれに対応する位置に設けられた下流側開口部と、気流の進行方向上流側において３以上の現像器の配列方向の両端にある現像器以外の現像器のうち少なくとも１以上の現像器に対応する位置に設けられた上流側開口部とを含み、少なくとも上流側開口部に開閉機構が設けられている。【選択図】図３
2018045072.tif 000002
【特許請求の範囲】
【請求項１】
３以上の現像器と、
当該３以上の現像器の長軸方向及び当該長軸方向に交差する方向のベクトルを有する気流を発生させる気流発生部と、
前記現像器よりも前記気流の進行方向上流側において、前記現像器が存在する側と存在しない側とを仕切る仕切り部材と、
前記仕切り部材に設けられた複数の開口部であって、前記気流の進行方向下流側において前記３以上の現像器のそれぞれに対応する位置に設けられた下流側開口部と、前記気流の進行方向上流側において前記３以上の現像器の配列方向の両端にある現像器以外の現像器のうち少なくとも１以上の現像器に対応する位置に設けられた上流側開口部とを含み、少なくとも前記上流側開口部に開閉機構が設けられている開口部と
を備える現像装置。
【請求項２】
前記仕切り部材に設けられた前記下流側開口部にも開閉機構が設けられている
請求項１記載の現像装置。
【請求項３】
自現像装置の環境に応じて、前記開閉機構を制御する開閉制御部を備える
請求項１又は２記載の現像装置。
【請求項４】
前記開閉制御部は、自現像装置の環境としての温度が閾値を超える場合には、少なくとも前記上流側開口部を開く
請求項３記載の現像装置。
【請求項５】
前記仕切り部材に設けられた前記下流側開口部にも開閉機構が設けられている場合には、前記開閉制御部は、自現像装置の環境としての温度が閾値を超える場合には、前記下流側の開口部を閉じる
請求項４記載の現像装置。
【請求項６】
前記仕切り部材に設けられた前記下流側開口部にも開閉機構が設けられている場合には、前記開閉制御部は、自現像装置の環境としての、現像剤による汚れ度が閾値を超える場合には、少なくとも前記下流側の開口部を閉じる
請求項３記載の現像装置。
【請求項７】
前記気流の進行方向上流側において前記３以上の現像器の配列方向の両端にある現像器に対応する位置に設けられた上流側開口部を備えている
請求項１〜６のいずれか１項に記載の現像装置。
【請求項８】
前記開閉制御部は、稼働している前記現像器に対応する前記開閉機構を制御する
請求項１〜７のいずれか１項に記載の現像装置。
【請求項９】
前記気流発生部は、自現像装置内に空気を流入させるファン又は自現像装置外に空気を排出するファンの少なくともいずれか一方を含む
請求項１〜８のいずれか１項に記載の現像装置。
【請求項１０】
像保持体と、
前記像保持体を帯電させる帯電装置と、
前記帯電装置によって帯電させられた像保持体に対し、画像データに応じた露光を行って静電潜像を形成する露光装置と、
前記露光装置により形成された静電潜像を現像する請求項１〜９のいずれか１項に記載の現像装置と、
前記現像装置により現像された像を媒体に転写する転写装置と、
前記転写装置により転写された像を前記媒体に定着させる定着装置と
を備える画像形成装置。
【発明の詳細な説明】
【技術分野】
【０００１】
本発明は、現像装置及び画像形成装置に関する。
【背景技術】
【０００２】
電子写真方式の画像形成装置においてトナーを含む現像材によって現像を行う現像装置が知られている。例えば、特許文献１には、現像剤の飛散を抑制しながら冷却する気流と、現像器を効果的に冷却する気流を、複数のファンをオンオフすることによって選択的に発生させる技術が開示されている。
【先行技術文献】
【特許文献】
【０００３】
【特許文献１】特開２０１１−２２２９６号公報
【発明の概要】
【発明が解決しようとする課題】
【０００４】
本発明は、複数のファンをオンオフすることに頼らずに、現像器の冷却又は現像剤による汚れの抑制を選択的に実現することを目的とする。
【課題を解決するための手段】
【０００５】
請求項１に係る現像装置は、３以上の現像器と、当該３以上の現像器の長軸方向及び当該長軸方向に交差する方向のベクトルを有する気流を発生させる気流発生部と、  前記現像器よりも前記気流の進行方向上流側において、前記現像器が存在する側と存在しない側とを仕切る仕切り部材と、前記仕切り部材に設けられた複数の開口部であって、前記気流の進行方向下流側において前記３以上の現像器のそれぞれに対応する位置に設けられた下流側開口部と、前記気流の進行方向上流側において前記３以上の現像器の配列方向の両端にある現像器以外の現像器のうち少なくとも１以上の現像器に対応する位置に設けられた上流側開口部とを含み、少なくとも前記上流側開口部に開閉機構が設けられている開口部とを備えている。
【０００６】
請求項２に係る現像装置は、請求項１に係る現像装置において、前記仕切り部材に設けられた前記下流側開口部にも開閉機構が設けられている。
【０００７】
請求項３に係る現像装置は、請求項１又は２に係る現像装置において、自現像装置の環境に応じて、前記開閉機構を制御する開閉制御部を備えている。
【０００８】
請求項４に係る現像装置は、請求項３に係る現像装置において、前記開閉制御部は、自現像装置の環境としての温度が閾値を超える場合には、少なくとも前記上流側開口部を開く。
【０００９】
請求項５に係る現像装置は、請求項４に係る現像装置において、前記仕切り部材に設けられた前記下流側開口部にも開閉機構が設けられている場合には、前記開閉制御部は、自現像装置の環境としての温度が閾値を超える場合には、前記下流側の開口部を閉じる。
【００１０】
請求項６に係る現像装置は、請求項３に係る現像装置において、前記仕切り部材に設けられた前記下流側開口部にも開閉機構が設けられている場合には、前記開閉制御部は、自現像装置の環境としての、現像剤による汚れ度が閾値を超える場合には、少なくとも前記下流側の開口部を閉じる。
【００１１】
請求項７に係る現像装置は、請求項１〜６のいずれか１項に係る現像装置において、前記気流の進行方向上流側において前記３以上の現像器の配列方向の両端にある現像器に対応する位置に設けられた上流側開口部を備えている。
【００１２】
請求項８に係る現像装置は、請求項１〜７のいずれか１項に係る現像装置において、前記開閉制御部は、稼働している前記現像器に対応する前記開閉機構を制御する。
【００１３】
請求項９に係る現像装置は、請求項１〜８のいずれか１項に係る現像装置において、前記気流発生部は、自現像装置内に空気を流入させるファン又は自現像装置外に空気を排出するファンの少なくともいずれか一方を含む。
【００１４】
請求項１０に係る画像形成装置は、像保持体と、前記像保持体を帯電させる帯電装置と、前記帯電装置によって帯電させられた像保持体に対し、画像データに応じた露光を行って静電潜像を形成する露光装置と、前記露光装置により形成された静電潜像を現像する請求項１〜９のいずれか１項に記載の現像装置と、前記現像装置により現像された像を媒体に転写する転写装置と、前記転写装置により転写された像を前記媒体に定着させる定着装置とを備える。
【発明の効果】
【００１５】
請求項１に記載の現像装置によれば、複数のファンをオンオフすることに頼らずに、現像器の冷却又は現像剤による汚れの抑制を選択的に成し得る構造となる。
請求項２に記載の現像装置によれば、気流の進行方向下流側の開口部を閉じた場合に、これが開いている場合に比べて冷却効果が増す。
請求項３に記載の現像装置によれば、現像装置の環境に応じて冷却又は汚れの抑制を行える。
請求項４に記載の現像装置によれば、現像器を冷却できる。
請求項５に記載の現像装置によれば、下流側の開口部を開いている場合に比べて、現像器の冷却効果が増す。
請求項６に記載の現像装置によれば、現像装置内の汚れを抑制できる。
請求項７に記載の現像装置によれば、気流の進行方向上流側において３以上の現像器の配列方向の両端にある現像器に対応する位置に開口部が設けられていない場合に比べて、冷却又は汚れ抑制効果が増す。
請求項８に記載の現像装置によれば、冷却又は汚れ抑制が必要な現像器について冷却又は汚れ抑制を実施し得る。
請求項９に記載の現像装置によれば、ファンによる気流発生が実現できる。
請求項１０に記載の画像形成装置によれば、複数のファンをオンオフすることに頼らずに、現像器の冷却又は現像剤による汚れの抑制を選択的に成し得る構造となる。
【図面の簡単な説明】
【００１６】
【図１】本発明の実施形態に係る画像形成装置の構造を示す模式図である。
【図２】同画像形成装置のハードウェア構成を示すブロック図である。
【図３】同画像形成装置が備える現像装置の断面構造を示す模式図である。
【図４】冷却に好適な開閉機構の開閉の組み合わせを示す平面図である。
【図５】汚れ抑制に好適な開閉機構の開閉の組み合わせを示す平面図である。
【図６】冷却効果を説明するグラフである。
【図７】汚れ抑制効果を説明するグラフである。
【図８】同画像形成装置の機能構成を示すブロック図である。
【発明を実施するための形態】
【００１７】
（実施形態）
以下、本発明の実施形態について説明する。図１は、本発明の実施形態に係る画像形成装置１００の構造を示す模式図であり、画像形成装置１００の正面側から見たときの断面構造を表している。画像形成装置１００は、例えばプリント、コピー、ファクシミリといった機能を備える電子写真方式の画像形成装置であり、媒体の一例である用紙に対し画像データに応じた画像を形成する。画像形成ユニット１Ｙ，１Ｍ，１Ｃ，１Ｋはそれぞれ、イエロー（Ｙ）色、マゼンダ（Ｍ）色、シアン（Ｃ）色及びブラック（Ｋ）色の各色の画像を形成する。中間転写ベルト２は、複数のロールに掛け渡されており、これらロールによって矢印Ａ方向に回転させられる。中間転写ベルト２の外周面には、画像形成ユニット１Ｙ，１Ｍ，１Ｃ，１Ｋによって形成された画像が重ね合わされるようにして一次転写される。
【００１８】
収容部４には用紙が複数枚収容されている。用紙は収容部４から送り出され、複数の搬送ロールにより搬送路Pを矢印Ｂ方向に搬送させられる。転写装置６は、中間転写ベルト２に一次転写された画像を用紙に二次転写する。定着装置７は、用紙に二次転写された画像に対し加熱及び加圧を行うことによって、その画像を用紙に定着させる。画像が定着させられた用紙は複数の搬送ロールにより搬送されて排出部８ａまたは排出部８ｂに排出させられる。
【００１９】
次に、画像形成ユニット１Ｙ，１Ｍ，１Ｃ，１Ｋの構成について、画像形成ユニット１Ｋの構成を例に挙げて説明する。画像形成ユニット１Ｋは、像保持体としての感光体１１Ｋと、感光体１１Ｋを決められた帯電電位に帯電させる帯電装置１２Ｋと、ＹＭＣＫ各色の画像データのうちＫの画像データに応じた露光を感光体１１Ｋに行って静電潜像を形成する露光装置１３Ｋと、この静電潜像を黒色トナーで現像して感光体１１Ｋの表面に黒色の画像を形成する現像装置１４Ｋと、中間転写ベルト２に画像を一次転写するための一次転写ロール１５Ｋと、一次転写後の感光体１１Ｋの表面に残留するトナーを除去するクリーニング装置１６Ｋとを備えている。
【００２０】
現像装置１４Ｋは、非磁性体であるトナーと磁性体であるキャリアからなる現像剤を収容し、この現像剤に含まれるトナーを上述した静電潜像に供給して現像を行う。現像装置１４Ｋは、トナー補給部２０Ｋと図示せぬ補給路によって接続されており、このトナー補給部２０Ｋから現像装置１４Ｋに適宜トナーが補給される。現像器１４１は、現像剤の収容容器、現像ロール及び撹拌ロールなどを含んでおり、紙面に垂直な方向が長軸方向となっている。
【００２１】
画像形成ユニット１Ｙ，１Ｍ，１Ｃの構成は、ＹＭＣＫ各色のどの色の画像に関する処理を行うかという点を除いて、上記画像形成ユニット１Ｋと同様であるから、説明を省略する。なお、以下の説明においては、画像形成ユニット１Ｙ，１Ｍ，１Ｃ，１Ｋの各構成を特に区別する必要のない時は、「Ｋ」、「Ｙ」、「Ｍ」、「Ｃ」という符号は付さない。例えば、画像形成ユニット１Ｙの感光体を指し示すときは「感光体１１Ｙ」と呼び、感光体１１Ｙ，１１Ｍ，１１Ｃ，１１Ｋを区別しないでよい場合には、単に「感光体１１」と称する。
【００２２】
次に、図２のブロック図を参照しながら、画像形成装置１００のハードウェア構成について説明する。制御部１１０は、ＣＰＵ（Central Processing Unit）、ＲＯＭ（Read Only Memory）、ＲＡＭ（Random Access Memory）及びＡＳＩＣ（Application Specific Integrated Circuit）等を備えており、ＣＰＵがＲＯＭや記憶部１２０に記憶されているプログラムを実行するなどして、表示部１０１、操作部１０２、転写装置１０３、定着装置７、帯電装置１２、現像装置１４及び露光装置１３に対する制御を行う。なお、転写装置１０３は、一次転写を行う一次転写ロール１５と、中間転写ベルト２と、二次転写を行う転写装置６とを含んでいる。記憶部１２０は例えばハードディスクであり、上記プログラムのほか、制御部１１０が処理を行うときに用いられる閾値などのデータ群が記憶されている。温度センサ９は、現像装置１４内又はその周囲の温度を計測する。
【００２３】
図３は、現像装置１４の鉛直方向の断面構造を示す模式図である。現像装置１４Ｙ，１４Ｍ，１４Ｃ，１４Ｋはいずれも図示のような断面構造を有している。図３において、Ｆが画像形成装置１００の正面側で、Ｂが画像形成装置１００の背面側である。現像装置１４の筐体内には現像器１４１が配置されている。現像器１４１は、現像剤の収容容器、現像ロール及び撹拌ロールなどを含んでおり、現像剤に含まれるトナーを静電潜像に供給して現像を行う。現像装置１４の筐体の内部空間は、板状の仕切り部材１４６によって、現像器１４１が存在する側の空間Ａ１と、現像器１４１が存在しない側の空間Ａ２とに仕切られている。各現像装置１４Ｙ，１４Ｍ，１４Ｃ，１４Ｋにおける空間Ａ１は互いに繋がっており、また、各現像装置１４Ｙ，１４Ｍ，１４Ｃ，１４Ｋにおける空間Ａ２は互いに繋がっている。仕切り部材１４６には、開口部１４２、１４３が設けられている。相対的に正面Ｆに近い位置に開口部１４２が配置され、相対的に背面Ｂに近い位置に開口部１４３が配置されている。これらの開口部１４２，１４３には、シャッター部材１４４，１４５により開口領域を閉じた状態にしたり開いた状態にしたりする開閉機構がそれぞれ設けられている。これらの開閉機構は例えばソレノイドによって駆動される。空間Ａ１には、現像装置１４内の空気をその装置外に排出するファン１４８が背面Ｂ側に設けられている。空間Ａ２には、現像装置１４外の空気をその装置内に流入させるファン１４７が正面側Ｆに設けられている。
【００２４】
ファン１４７，１４８が回転することにより、現像装置１４内にはファン１４７の配置位置からファン１４８の配置位置へと進行する気流が発生することになる。この気流は、開口部１４２が開いて開口部１４３が閉じているときには破線ｋ１の方向に進行し、開口部１４２が閉じて開口部１４３が開いているときには一点鎖線ｋ２の方向に進行し、開口部１４２及び開口部１４３がいずれも開いているときには破線ｋ１及び一点鎖線ｋ２の方向に進行する。いずれの場合も現像装置１４内に発生する気流は、現像器１４１の長軸方向及び当該長軸方向に交差する方向（短軸方向）のベクトルを有する気流である。また、前述したように各現像装置１４Ｙ，１４Ｍ，１４Ｃ，１４Ｋにおける空間Ａ１は互いに繋がっており、各現像装置１４Ｙ，１４Ｍ，１４Ｃ，１４Ｋにおける空間Ａ２は互いに繋がっているから、気流の進行方向は、各現像装置１４Ｙ，１４Ｍ，１４Ｃ，１４Ｋの相互を向かう方向のベクトルをも有することになる。２つの開口部１４２，１４３のうち、現像器１４１の長軸方向における気流の進行方向上流側に開口部１４２があるため、以下、これを上流側開口部１４２という。また、現像器１４１の長軸方向における気流の進行方向下流側に開口部１４３があるため、以下、これを下流側開口部１４３という。
【００２５】
図４，５は、各現像装置１４Ｙ，１４Ｍ，１４Ｃ，１４Ｋにおける開口部１４２，１４３の開閉の組み合わせを示す平面図であり、鉛直方向上方から見たときの開閉状態を表している。現像器１４１を冷却する場合には、図４に示すように、現像装置１４Ｍ，１４Ｃの上流側開口部１４２を開状態とし、現像装置１４Ｍ，１４Ｃの上流側開口部１４２及び現像装置１４Ｙ，１４Ｍ，１４Ｃ，１４Ｋの下流側開口部１４３を閉状態とする。この場合、現像装置１４内の気流は破線ｋ１及び一点鎖線ｋ２（図３）で示す進行方向となる。上流側開口部１４２を下方から上方に通過した気流は破線ｋ１に沿って現像装置１４Ｙ，１４Ｍ，１４Ｃ，１４Ｋの方向に拡散しながら進行し、各現像装置１４Ｙ，１４Ｍ，１４Ｃ，１４Ｋの現像器１４１の下部にあたって、さらに現像器１４１の長軸方向に沿って進行する。これにより、現像装置１４Ｙ，１４Ｍ，１４Ｃ，１４Ｋの現像器１４１の下部全体からの放熱効果を促すことになり、冷却効果が増す。
【００２６】
現像装置１４内の汚れを抑制する場合には、図５に示すように、現像装置１４Ｙ，１４Ｍ，１４Ｃ，１４Ｋの上流側開口部１４２を閉じて、現像装置１４Ｙ，１４Ｍ，１４Ｃ，１４Ｋの下流側開口部１４３を開いた状態とする。この場合、現像装置１４内の気流は一点鎖線ｋ２（図３）で示す進行方向となる。下流側開口部１４３を下方から上方に通過した気流が一点鎖線ｋ２に沿って進行することでこの気流の経路上が負圧となり、現像装置１４Ｙ，１４Ｍ，１４Ｃ，１４Ｋの現像器１４１周辺に浮遊している現像剤を現像器１４１の短軸方向に沿った方向に汚れを移送し、ファン１４８から装置外へと排出することになり、汚れ抑制効果が増す。このとき、仮に現像装置１４Ｙ，１４Ｍ，１４Ｃ，１４Ｋの上流側開口部１４２を開いていると、破線ｋ１の気流は現像器１４１周囲の空気を掻き乱すことになり、汚れが拡散してしまう。
【００２７】
図６は、冷却効果を説明するグラフである。ここでは、１０分間の現像器１４１及びファン１４７，１４８の稼働後における温度センサ９による温度をシミュレーションしている。図６にシャッター開閉パターンＮｏ．は、各現像装置１４Ｙ，１４Ｍ，１４Ｃ，１４Ｋにおける上流側開口部１４２及び下流側開口部１４３の開閉のあらゆるパターンについて付与した番号であり、全部で１２０パターンある。このとき、最も低い温度９２．８℃となったＮＯ．Ｘは、現像装置１４Ｍ，１４Ｃの上流側開口部１４２を開状態とし、現像装置１４Ｍ，１４Ｃの上流側開口部１４２及び現像装置１４Ｙ，１４Ｍ，１４Ｃ，１４Ｋの下流側開口部１４３を閉状態とする開閉パターンであった。現像装置１４Ｙ，１４Ｍ，１４Ｃ，１４Ｋ内部の温度分布は、中央に位置する現像装置１４Ｍ，１４Ｃ近傍が最も温度が高い。このため、現像装置１４Ｙ，１４Ｍ，１４Ｃ，１４Ｋの上流側開口部１４２を全て開状態とするよりも、現像装置１４Ｍ，１４Ｃの上流側開口部１４のみを開状態としたときのほうが、速度が速い気流により温度が高い空間を効率的に冷却できるため、現像装置１４Ｙ，１４Ｍ，１４Ｃ，１４Ｋ全体の温度上昇を抑制することができると考えられる。
【００２８】
図７は、汚れ抑制効果を説明するグラフである。ここでは、１０分間の現像器１４１及びファン１４７，１４８の稼働後における、各現像装置１４Ｙ，１４Ｍ，１４Ｃ，１４Ｋ内の現像器１４１の上面に蓄積した現像剤の厚さ（mm）の合計をシミュレーションしている。図７にシャッター開閉パターンＮｏ．は、各現像装置１４Ｙ，１４Ｍ，１４Ｃ，１４Ｋにおける上流側開口部１４２及び下流側開口部１４３の開閉のあらゆるパターンについて付与した番号であり、全部で１２０パターンある。このとき、最も汚れ量が少ないＮＯ．Ｙは、現像装置１４Ｙ，１４Ｍ，１４Ｃ，１４Ｋの上流側開口部１４２を閉じて、現像装置１４Ｙ，１４Ｍ，１４Ｃ，１４Ｋの下流側開口部１４３を開いた状態とする開閉パターンであった。
【００２９】
図８は、現像装置１４の機能構成を示すブロック図である。図に示す各機能は、現像装置１４本体及び制御部１１０が連携して実現される。気流発生部１４１０は、ファン１４７，１４８であり、現像器１４の長軸方向及び当該長軸方向に交差する方向のベクトルを有する気流を発生させる。環境取得部１４２０は、現像装置１４の環境を取得する。具体的には、温度センサ９によって計測された温度、又は、制御部１１０によってカウントされている累計現像期間である。累計現像期間は現像装置１４内における現像剤による汚れの度合い示す汚れ度の指標値となる。開閉制御部１４３０は、取得された環境に応じて、開閉機構を制御する。具体的には、開閉制御部１４３０は、現像装置１４の環境としての温度が閾値を超える場合には、少なくとも上流側開口部１４２を開く。また、開閉制御部１４３０は、現像装置１４の環境としての温度が閾値を超える場合には、下流側開口部１４３を閉じる。また、開閉制御部１４３０は、現像装置１４の環境としての、現像剤による汚れ度が閾値を超える場合には、少なくとも下流側開口部１４３を閉じる。
【００３０】
以上の実施形態によれば、複数のファンをオンオフすることに頼らずに、現像器１４１の冷却又は現像剤による汚れの抑制を選択的に実現することができる。
【００３１】
上記実施形態は次のように変形可能である。
現像装置１４（現像器１４１）は４つに限らず３以上であればよい。
また、各現像装置１４における開口部の数は２つに限らない。要するに、現像器１４１よりも気流の進行方向上流側において少なくとも２つの開口部が設けられていればよい。
開口部は、気流の進行方向下流側において３以上の現像器１４１のそれぞれに対応する位置に設けられた下流側開口部１４３と、気流の進行方向上流側において３以上の現像器１４１の配列方向の両端にある現像器以外の現像器のうち少なくとも１以上の現像器１４１に対応する位置に設けられた上流側開口部１４２とを含む。そして、少なくとも上流側開口部１４２に開閉機構１４５が設けられていればよく、下流側開口部１４３に開閉機構１４５が設けられていることは必須ではない。開閉機構１４５が上流側開口部１４２にのみ設けられている場合、現像器１４１を冷却するときは、開閉制御部１４３０は、３以上の現像器１４１の配列方向の両端にある現像器１４１に対応する位置に設けられた上流側開口部１４２以外の上流側開口部１４２を開状態とする（下流側開口部１４３はもともと開いている）。また、現像装置１４内の汚れを抑制するときには、開閉制御部１４３０は、３以上の現像器１４１の配列方向の両端にある現像器１４１に対応する位置に設けられた上流側開口部１４２以外の上流側開口部１４２を閉じる（下流側開口部１４３をもともと開いている）。
開閉制御部１４３０は、稼働している現像器１４１に対応する開閉機構を制御するようにしてもよい。例えばモノクロ画像を出力するときは、現像器１４１Ｋのみが稼働しているため、開閉制御部１４３０は、稼働している現像器１４１ｋに対応する開閉機構を制御する。
ファンは、現像装置１４内に空気を流入させるファン１４７又は現像装置１４外に空気を排出するファン１４８の少なくともいずれか一方があればよい。
仕切り部材１４６の大きさ（鉛直方向上方から見たときの大きさ）は、少なくとも現像器１４１の大きさ（鉛直方向上方から見たときの大きさ）よりも大きいことが望ましい。仮に仕切り部材１４６が現像器１４１よりも小さいと、例えば冷却時に気流を現像器１４に当てる面積が小さくなるので、冷却効果が小さくなる。
本発明は、コンピュータを現像装置として機能させるためのプログラムや、係るプログラムを記録した記録媒体の形態でも提供され得る。また、本発明に係るプログラムは、インターネット等のネットワークを介してコンピュータにダウンロードされてもよい。
【符号の説明】
【００３２】
１Ｙ，１Ｍ，１Ｃ，１Ｋ・・・画像形成ユニット、２・・・中間転写ベルト、４・・・収容部、６・・・転写装置、７・・・定着装置、８ａ，８ｂ・・・排出部、９・・・温度センサ、１１Ｋ・・・感光体、１２Ｋ・・・帯電装置、１３Ｋ・・・露光装置、１４Ｋ・・・現像装置、１５Ｋ・・・一次転写ロール、１００・・・画像形成装置、１４１・・・現像器、１４２，１４３・・・開口部、１４４，１４５・・・シャッター部材、１４６・・・仕切り部材、１４７，１４８・・・ファン、１４１０・・・気流発生部、１４２０・・・環境取得部、１４３０・・・開閉制御部。
【図１】
2018045072.tif 000003
【図２】
2018045072.tif 000004
【図３】
2018045072.tif 000005
【図４】
2018045072.tif 000006
【図５】
2018045072.tif 000007
【図６】
2018045072.tif 000008
【図７】
2018045072.tif 000009
【図８】
2018045072.tif 000010